(57)【要約】【課題】撮影者が不在である場所の画像を別の場所で見ることを可能にする。【解決手段】携帯電話用ホルダ１０が、携帯電話端末２０に画像を撮影させる撮影時刻と画像データの転送先アドレスとの入力を受け付ける。次に、携帯電話用ホルダ１０は、前記転送先アドレスを内包した撮影指示を、前記撮影時刻に前記携帯電話端末２０に供給する。携帯電話端末２０は、前記撮影指示を受信すると、画像を撮影し、該画像を表す画像データと前記転送先アドレスとを内包した転送要求を移動通信網３０経由で外部へ送信する。【選択図】      図１
2005033486.tif 000002
【特許請求の範囲】
【請求項１】
携帯電話端末を着脱自在に支持する装着部と、
前記装着部が設けられる可動台と、
前記可動台を駆動する駆動部と
を具備することを特徴とする携帯電話用ホルダ。
【請求項２】
前記駆動部を制御するための信号を生成する駆動制御信号生成手段を有し、
前記駆動部は前記駆動制御信号に基づいて前記可動台を駆動することを特徴とする請求項１記載の携帯電話用ホルダ。
【請求項３】
携帯電話端末の接続端子が装着される端子部と、
前記端子部が設けられる可動台と、
前記端子部に充電用の給電を行う給電手段と、
前記可動台を駆動する駆動部と
を具備することを特徴とする携帯電話用充電器。
【請求項４】
前記駆動部を制御するための信号を生成する駆動制御信号生成手段を有し、
前記駆動部は前記駆動制御信号に基づいて前記可動台を駆動することを特徴とする請求項３記載の携帯電話用充電器。
【請求項５】
前記駆動部は前記携帯電話端末から前記端子部を介して供給される信号に応じて前記可動台を駆動することを特徴とする請求項３記載の携帯電話用充電器。
【請求項６】
撮影を行う撮影時刻を記憶する時刻記憶手段と、
情報を転送するための転送先アドレスを記憶するアドレス記憶手段と、
前記時刻記憶手段に時刻を、前記アドレス記憶手段に転送先アドレスを各々入力するための操作部と、
前記時刻記憶手段が記憶している撮影時刻に基づいて撮影指示信号を生成する撮影指示信号生成手段と
を具備することを特徴とする請求項３または４記載の携帯電話用充電器。
【請求項７】
請求項３または４記載の携帯電話用充電器と携帯電話端末とを有し、
前記携帯電話端末は、
ネットワークを介して他の端末と通信する通信手段と、
情報を転送するための転送先アドレスを記憶するアドレス記憶手段と、
撮影を行い画像情報として出力する撮影手段と、
前記撮影手段から画像情報が出力されると当該画像情報を前記アドレス記憶手段に記憶された転送先アドレスに転送するよう前記通信手段を制御する通信制御手段と、
回路各部に電源を供給する充電池と、
前記充電池への充電経路を含む接続端子と
を具備することを特徴とする携帯電話撮影システム。
【請求項８】
請求項６記載の携帯電話用充電器と携帯電話端末とを有し、
前記携帯電話端末は、
ネットワークを介して他の端末と通信する通信手段と、
撮影を行い画像情報として出力する撮影手段と、
前記撮影指示信号に基づいて前記撮影手段に撮影を行わせる撮影制御手段と、
前記撮影手段から画像情報が出力されると当該画像情報を前記アドレス記憶手段に記憶された転送先アドレスに転送するよう前記通信手段を制御する通信制御手段と、
回路各部に電源を供給する充電池と、
前記充電池への充電経路を含む接続端子と
を具備することを特徴とする携帯電話撮影システム。
【請求項９】
請求項５記載の携帯電話用充電器と携帯電話端末とを有し、
前記携帯電話端末は、
ネットワークを介して他の端末と通信する通信手段と、
撮影を行い画像情報として出力する撮影手段と、
前記撮影手段が撮影を行う撮影時刻を記憶する時刻記憶手段と、
前記画像情報を転送するための転送先アドレスを記憶するアドレス記憶手段と、
前記時刻記憶手段に時刻を、前記アドレス記憶手段に転送先アドレスを各々入力するための操作部と、
前記時刻記憶手段に記憶された時刻に基づいて前記撮影手段に撮影を行わせる撮影制御手段と、
前記撮影手段から画像情報が出力されると当該画像情報を前記アドレス記憶手段に記憶された転送先アドレスに転送するよう前記通信手段を制御する通信制御手段と、
回路各部に電源を供給する充電池と、
前記充電池への充電経路を含む接続端子と、
前記駆動部を制御するための信号を生成する駆動制御信号生成手段とを有し、
前記駆動制御信号生成手段が生成した信号を前記端子部を介して前記駆動部へ供給することを特徴とする携帯電話撮影システム。
【請求項１０】
請求項５記載の携帯電話用充電器と携帯電話端末とを有し、前記携帯電話端末は、
ネットワークを介して他の端末と通信する通信手段と、
撮影を行い画像情報として出力する撮影手段と、
前記撮影手段が撮影を行う撮影時刻を記憶する時刻記憶手段と、
前記画像情報を転送するための転送先アドレスを記憶するアドレス記憶手段と、
前記時刻記憶手段に時刻を、前記アドレス記憶手段に転送先アドレスを各々入力するための操作部と、
前記時刻記憶手段に記憶された時刻に基づいて前記撮影手段に撮影を行わせる撮影制御手段と、
前記撮影手段から画像情報が出力されると当該画像情報を前記アドレス記憶手段に記憶された転送先アドレスに転送するよう前記通信手段を制御する通信制御手段と、
回路各部に電源を供給する充電池と、
前記充電池への充電経路を含む接続端子とを有し、
前記通信手段は駆動部を制御するための信号を前記他の端末から受信すると当該信号を前記端子部を介して前記駆動部へ供給することを特徴とする携帯電話撮影システム。
【発明の詳細な説明】
【０００１】
【発明の属する技術分野】
本発明は、画像を撮影して得られた画像データを通信網を介して転送する技術に関する。
【０００２】
【従来の技術】
デジタルカメラの機能により画像を撮影することのできる携帯電話端末が普及している。この種の携帯電話端末は、画像を撮影して、その画像を表す画像データを生成し、この画像データを移動通信網を介して外部のサーバに送信することができる。特許文献１に記載の技術は、撮影した画像を表す画像データを生成し、直ちにサーバに送信することによって、緊急時に撮影した画像を確実に残し、犯罪発生の抑止効果を得ることを図っている。
【０００３】
【特許文献１】
特開２００３−１３４２５８号公報
【０００４】
【発明が解決しようとする課題】
ところで、オフィスの自席から離れたり、自宅から外出したりする場合に、自席周辺や自宅内の状況を移動先に居ながらにして確認することができれば便利である。しかし、上記の従来技術では、撮影者が携帯電話端末を操作することが必要なため、ユーザが撮影場所を離れた場合には、画像を撮影することができない。
【０００５】
本発明は上述した事情に鑑みてなされたものであり、その目的は、撮影者が不在である場所の画像を別の場所で見ることを可能にすることにある。
【０００６】
【課題を解決するための手段】
上述の課題を解決するために、本発明は、携帯電話端末を着脱自在に支持する装着部と、前記装着部が設けられる可動台と、前記可動台を駆動する駆動部とを具備することを特徴とする携帯電話用ホルダを提供する。この構成によれば、携帯電話用ホルダの可動台が駆動される。
好ましくは、前記携帯電話用ホルダは、前記駆動部を制御するための信号を生成する駆動制御信号生成手段を有し、前記駆動部は前記駆動制御信号に基づいて前記可動台を駆動する。これによって、可動台の駆動を制御することができる。
【０００７】
また、本発明は、携帯電話端末の接続端子が装着される端子部と、前記端子部が設けられる可動台と、前記端子部に充電用の給電を行う給電手段と、前記可動台を駆動する駆動部とを具備することを特徴とする携帯電話用充電器を提供する。この構成によれば、携帯電話用充電器の可動台が駆動される。
好ましくは、前記携帯電話用充電器は、前記駆動部を制御するための信号を生成する駆動制御信号生成手段を有し、前記駆動部は前記駆動制御信号に基づいて前記可動台を駆動する。これによって、可動台の駆動を制御することができる。
【０００８】
さらに好ましくは、前記携帯電話用充電器は、撮影を行う撮影時刻を記憶する時刻記憶手段と、情報を転送するための転送先アドレスを記憶するアドレス記憶手段と、前記時刻記憶手段に時刻を、前記アドレス記憶手段に転送先アドレスを各々入力するための操作部と、前記時刻記憶手段が記憶している撮影時刻に基づいて撮影指示信号を生成する撮影指示信号生成手段とを具備する。この構成によれば、時刻記憶手段によって撮影時刻が記憶され、アドレス記憶手段によって転送先アドレスが記憶される。そして、この撮影時刻に基づいて撮影指示信号が生成される。これによって、指定された撮影時刻に画像が撮影され、指定された転送先アドレスに画像情報が送り届けられる。
【０００９】
また、本発明は、前記携帯電話用充電器と携帯電話端末とを有する携帯電話撮影システムとしても特定される。この携帯電話撮影システムにおいて、前記携帯電話端末は、ネットワークを介して他の端末と通信する通信手段と、情報を転送するための転送先アドレスを記憶するアドレス記憶手段と、撮影を行い画像情報として出力する撮影手段と、前記撮影手段から画像情報が出力されると当該画像情報を前記アドレス記憶手段に記憶された転送先アドレスに転送するよう前記通信手段を制御する通信制御手段と、回路各部に電源を供給する充電池と、前記充電池への充電経路を含む接続端子とを具備する。
【００１０】
また、別の好ましい態様においては、前記携帯電話端末が前記駆動部を制御するための信号を生成する駆動制御信号生成手段を有し、前記携帯電話用充電器の駆動部は前記携帯電話端末から前記端子部を介して供給される信号に応じて前記可動台を駆動する。これによって、携帯電話端末を用いて駆動部を制御することが可能となる。
あるいは、前記携帯電話端末は、前記駆動部を制御するための信号を前記他の端末から受信すると当該信号を前記端子部を介して前記駆動部へ供給する構成とするのも好ましい。これによって、他の端末から駆動部を遠隔制御することが可能となる。
【００１１】
【発明の実施の形態】
以下、図面を参照して、本発明の実施の形態について説明する。
（１．構成）
図１は、本発明の実施形態にかかる構成を示す図である。
携帯電話端末２０は、移動通信網を介した通話機能の他、以下の機能を有している。携帯電話端末２０は、撮影手段を有しており、静止画および動画を撮影して、それらを表す画像データを生成することができる。また、携帯電話端末２０は、移動通信網３０を介してデータ通信を行うための通信手段を有している。
【００１２】
サーバ４０は移動通信網３０経由で携帯電話端末２０から画像データと転送先アドレスとを受け取り、画像データを転送先アドレス宛で転送する。この転送先アドレスは、携帯電話端末２０とは別の携帯電話端末５０、または、コンピュータ装置６０の通信アドレスである。コンピュータ装置６０はインターネット７０を介して、サーバ４０から転送された画像データを受信する。
【００１３】
携帯電話用ホルダ１０は、携帯電話端末２０の充電池に充電するための携帯電話用充電器を兼ねており、携帯電話端末２０の撮影用レンズを被写体に向けた状態で携帯電話端末２０を保持することができる。図２は、携帯電話用ホルダ１０の筐体１０１を示す図である。筐体１０１は、装着部１０２、可動台１０３および台座１０４が組み合わされて構成されている。図３は、装着部１０２を上から見た図である。図４は、装着部１０２の斜視図である。装着部１０２は、携帯電話端末２０の筐体のコネクタを有する部分がはめ込まれることによって携帯電話端末２０と結合される。装着部１０２は、水平方向を軸方向とする回転軸１０２ａを有し、後述する可動台１０３に組み込まれて回転軸１０２ａ回りに回動可能となる。また、装着部１０２は、携帯電話端末２０との間でデータの送受信が可能なように接続するための端子部１０２ｂを有する。さらに、装着部１０２は、携帯電話端末２０に電源を供給するための接点１０２ｃを有する。
【００１４】
図５は、可動台１０３を示す図である。可動台１０３は、装着部１０２の回転軸１０２ａを支持する軸受け１０３ａ、装着部１０２を回動させるためのモータ（駆動部）１０３ｃを有する。なお、図示は省略するが、可動台１０３は、モータ１０３ｃが発生する駆動力を回転軸１０２ａに伝達するためのギア機構などを備えている。また、可動台１０３の底面中央には、鉛直方向を軸方向とする回転軸１０３ｂを有している。
図６は、台座１０４を示す図である。台座１０４は、可動台１０３の回転軸１０３ｂを支持する軸受け１０４ａと、可動台１０３を回転軸１０３ｂ回りに回動させるためのモータ（駆動部）１０４ｂを有する。なお、図示は省略するが、台座１０４は、モータ１０４ｂが発生する駆動力を回転軸１０３ｂに伝達するためのギア機構などを備えている。
図７は、携帯電話用ホルダ１０各部の動作を制御する制御部１１０の構成を示す図である。ＣＰＵ（Ｃｅｎｔｒａｌ  Ｐｒｏｃｅｓｓｉｎｇ  Ｕｎｉｔ）１１１は、ＲＯＭ（Ｒｅａｄ  Ｏｎｌｙ  Ｍｅｍｏｒｙ）１１２に記憶されているプログラムを実行することにより、装置各部の制御を行う。ＲＡＭ（Ｒａｎｄｏｍ  Ａｃｃｅｓｓ  Ｍｅｍｏｒｙ）１１３は、ＣＰＵ１１１のワークエリアとして使用される。記憶部（時刻記憶手段、アドレス記憶手段）１１４は、書き換え可能な不揮発性メモリである。
【００１５】
操作部１１５はキーパッドであり、ユーザは操作部１１５を操作して、携帯電話端末２０に画像撮影・送信を行わせるための指示を入力する。指示の内容は、撮影開始時刻、撮影間隔、撮影終了時刻、画像転送先アドレス、撮影モード（静止画／動画）、首振り機能設定（角度、周期）の６項目である。
ユーザが撮影モードで静止画を選択した場合には、撮影開始時刻、撮影間隔、撮影終了時刻を指定することによって、携帯電話端末２０に撮影開始時刻から撮影終了時刻までの間、一定時間間隔で静止画を撮影させることができる。一方、ユーザが動画を選択した場合には、撮影開始時刻から撮影終了時刻までの間、携帯電話端末２０に動画を撮影させることができる。ＣＰＵ１１１は、入力された時刻に基づいて携帯電話端末２０に撮影を行わせるための撮影指示信号を生成する（撮影指示信号生成手段）。
【００１６】
首振り機能設定は、装着部１０２および可動台１０３を回動させるための設定である。この設定においては、回転軸１０２ａ回り、または、回転軸１０３ｂ回りの回動を指定することができる。また、回動の角度、周期も指定可能である。ＣＰＵ１１１は、この設定に従ってモータ１０３ｃおよび１０４ｂを制御するための駆動制御信号を生成する（駆動制御信号生成手段）。
また、上記の６項目の他に、ＣＰＵ１１１に携帯電話端末２０から画像データを取得させ、その画像データをコンピュータ装置８０に転送させるための指示（外部出力）を入力することもできる。
表示部１１６は、入力された指示の内容を表示する液晶パネルである。
【００１７】
接続ＩＦ（インターフェイス）１１７は、ＣＰＵ１１１は携帯電話端末２０との信号の授受を仲介する。ＣＰＵ１１１は、通信ＩＦ１１７を介して、画像の撮影・送信に関する指示を携帯電話端末２０に供給する。
外部ＩＦ（インターフェイス）１１８は、ＲＳ２３２Ｃ（Ｒｅｃｏｍｍｅｎｄｅｄ  Ｓｔａｎｄａｒｄ  ２３２Ｃ）あるいはＵＳＢ（Ｕｎｉｖｅｒｓａｌ  Ｓｅｒｉａｌ  Ｂｕｓ）などの規格に準拠した通信インターフェイスである。外部ＩＦ１１８には、コンピュータ装置８０が接続されており、ＣＰＵ１１１は外部ＩＦ１１８を介してコンピュータ装置８０に画像データを転送する。
【００１８】
給電手段１１９は、電源コンセントからの電力を変圧して携帯電話端末２０に供給する。
時計部１２０は、デジタル式の時計である。ＣＰＵ１１１は、逐次、時計部１２０から現在時刻を取得して、ユーザによって入力された時刻と比較する。
【００１９】
（２．動作）
上記の構成による本実施形態の動作について説明する。
画像の撮影・転送は、以下のような場面で行われる。例えば、携帯電話端末２０のユーザがオフィスの自席を離れて会議室で会議に参加する場合を想定する。ユーザは、会議室に持ち込んだ携帯電話端末５０あるいはコンピュータ装置６０に自席周辺の画像を送信することを目的として、携帯電話用ホルダ１０を自席に設置する。
【００２０】
まず、ユーザが携帯電話用ホルダ１０に電源を投入すると、ＣＰＵ１１１によりプログラムが実行される。図８は、このプログラムのフロー図である。最初に、ＣＰＵ１１１は、携帯電話用ホルダ１０に携帯電話端末２０が接続されたか否かを判定する（ステップＳ０１）。ユーザが携帯電話端末２０に電源を投入し、携帯電話端末２０の筐体のコネクタを有する側を装着部１０２に挿入すると、携帯電話用ホルダ１０と携帯電話端末２０が電気的に接続される。図９は、携帯電話用ホルダ１０の装着部１０２に携帯電話端末２０が装着された状態を示す図である。ステップＳ０２では、ＣＰＵ１１１が、携帯電話用ホルダ１０をＷＥＢカメラモードに設定するか否かの入力をユーザに促すメッセージを表示部１１６に表示する。ＷＥＢカメラモードとは、携帯電話端末２０に画像を撮影させ、画像データを外部へ送信させるモードである。ユーザが携帯電話用ホルダ１０をＷＥＢカメラモードに設定するための指示を操作部１１５を用いて入力すると、ステップＳ０５へ進み、ＷＥＢカメラモードと携帯電話端末２０への充電を並行して行う。一方、ユーザがＷＥＢカメラモードを選択しなかった場合には、携帯電話端末２０への充電を行い（ステップＳ０３）、充電が完了した否かを判定し（ステップＳ０４）充電が終了したならばプログラムの実行を終了する。
【００２１】
ステップＳ０５では、ＣＰＵ１１１は、携帯電話端末２０に画像を撮影させるための指示の入力をユーザに促す画面を表示部１１６に表示する。図１０は、このとき表示部に表示される画面の例である。ステップＳ０６では、ユーザが入力した指示を操作部１１５が受け付ける。
ステップＳ０７では、ＣＰＵ１１１が、上記の指示入力が完了したか否かを判定する。ユーザが操作部１１５のリターンキーを押下すると、ＣＰＵ１１１は、入力が完了したと判定し、入力された指示を記憶部１１４に記憶させる。
【００２２】
ステップＳ０８では、ＣＰＵ１１１は、逐次、時計部１２０から現在時刻を取得し、撮影開始時刻と比較し、両者が一致したときに、撮影開始時刻になったと判定する。撮影開始時刻になったならば、ＣＰＵ１１１は、静止画／動画の区別と転送先アドレスとを内包した撮影指示を携帯電話端末２０へ供給する。ステップＳ０８においては、ＣＰＵ１１１は、撮影指示の供給に関する制御とともに、可動台１０３あるいは装着部１０２をユーザから指定された角度および周期に従って回動させるための制御を行う。ＣＰＵ１１１による制御の下で、可動台１０３および装着部１０２はユーザから指定された角度の範囲内で往復回動する。
【００２３】
静止画の場合には、ＣＰＵ１１１は、逐次、時計部１２０から現在時刻を取得し、撮影終了時刻と比較し、両者が一致したときに、撮影終了時刻になったと判定する（ステップＳ０９）。撮影終了時刻になるまでの間、撮影間隔が経過するたびに、ＣＰＵ１１１は携帯電話端末２０に撮影指示を供給する。この撮影指示を受信した携帯電話端末２０は、静止画を撮影して画像データを生成し、画像データと転送先アドレスとを内包した転送要求を移動通信網３０経由でサーバ４０に送信する。
【００２４】
動画の場合には、撮影指示を受信した携帯電話端末２０は、動画を撮影して画像データを生成し蓄積する。ＣＰＵ１１１は、現在時刻が撮影終了時刻であるか否かを判定し（ステップＳ０９）、撮影終了時刻になると、動画の撮影を終了させる指示を携帯電話端末２０に供給する。この指示を受信した携帯電話端末２０は、撮影を終了し、蓄積された画像データと転送先アドレスとを内包した転送要求を移動通信網３０経由でサーバ４０に送信する。
【００２５】
転送要求を受信したサーバ４０は、転送要求に内包されている転送先アドレス宛で画像データを転送する。
ＣＰＵ１１１は、撮影終了時刻が経過したならば、携帯電話端末２０の充電が完了したか否かを携帯電話端末２０に問い合わせる（ステップＳ１０）。充電が完了したならば、ＣＰＵ１１１はプログラムの実行を終了する。
【００２６】
本実施形態によれば、撮影者が不在である場所の画像を別の場所で見ることが可能となる。また、携帯電話端末を携帯電話用ホルダに保持させることにより、携帯電話端末を被写体に向けた状態でその姿勢を維持させることができる。また、携帯電話端末の姿勢を変化させることによって異なる視点の画像を見ることが可能となる。
また、撮影した画像の画像データを外部機器へ転送させ、蓄積しておくことによって、ユーザが後刻、画像を見ることも可能である。また、携帯電話用ホルダが携帯電話端末に電源を供給することにより、撮影の途中で電源が足りなくなるのを防ぐことができる。
【００２７】
なお、上記の例に限らず、ユーザが自宅を留守にするときに、自宅の子供部屋の画像を出先で見るなどの目的にも用いることができる。この場合、ユーザは、自宅の子供部屋に携帯電話用ホルダ１０を設置して、携帯電話端末２０を接続する。そして、携帯電話端末２０によって撮影された画像を、携帯電話端末５０あるいは出先に設置されているコンピュータ装置６０などに移動通信網３０あるいはインターネット７０を介して転送させる。これによって、親が自宅を留守にする際に、自宅の子供部屋にいる子供の様子を出先で確認することが可能となる。
【００２８】
（３．変形例）
以上説明した形態に限らず、本発明は種々の形態で実施可能である。例えば、上述の実施形態を以下のように変形した形態でも実施可能である。
【００２９】
携帯電話用ホルダ１０に代えて、図１１に示す指示装置１０ａを用いるように本発明を変形してもよい。指示装置１０ａは、携帯電話用ホルダ１０と同様の制御部を有しており、携帯電話端末２０ａに有線接続され、画像撮影・送信の指示を携帯電話端末２０ａに供給する装置である。携帯電話端末２０ａは、例えば折りたたみ式の筐体を有しており、被写体に撮影用レンズを向けた状態で筐体がその姿勢を維持することができるようになっている。
【００３０】
撮影指示信号の生成を携帯電話端末が行うように本発明を変形してもよい。この態様においては、ユーザは、撮影時刻と転送先アドレスを携帯電話端末に入力し、携帯電話端末は、入力された撮影時刻および転送先アドレスを記憶する。そして、携帯電話端末は、記憶された撮影時刻に基づいて撮影を行い、さらに、記憶された転送先アドレス宛で画像情報を送信する。
【００３１】
携帯電話端末から端子部を介して供給される信号に応じて携帯電話用ホルダを駆動するようにしてもよい。この態様においては、ユーザは、他の携帯電話端末から携帯電話用ホルダを駆動するための信号を送る。これによって、ユーザは、所望の角度で撮影された画像を得ることができる。
【００３２】
また、携帯電話用ホルダと携帯電話端末とを一体とした装置を用いるように本発明を変形してもよい。また、姿勢制御手段を備えていない携帯電話用ホルダを用いてもよい。また、外部接続手段を備えていない携帯電話用ホルダを用いてもよい。また、給電手段を備えていない携帯電話用ホルダを用いてもよい。
【図面の簡単な説明】
【図１】本発明の実施形態にかかる構成を示す図である。
【図２】携帯電話用ホルダ１０の筐体１０１を示す図である。
【図３】装着部１０２を上から見た図である。
【図４】装着部１０２の斜視図である。
【図５】可動台１０３を示す図である。
【図６】台座１０４を示す図である。
【図７】携帯電話用ホルダ１０の制御部１１０の構成を示す図である。
【図８】ＣＰＵ１１１により実行されるプログラムのフロー図である。
【図９】携帯電話端末２０が装着された携帯電話用ホルダ１０の図である。
【図１０】表示部１１６に表示される画面を示す図である。
【図１１】変形例の構成を示す図である。
【符号の説明】
１０…携帯電話用ホルダ、２０…携帯電話端末、３０…移動通信網、４０…サーバ、５０…携帯電話端末、６０…コンピュータ装置、７０…インターネット
【図１】
2005033486.tif 000003
【図２】
2005033486.tif 000004
【図３】
2005033486.tif 000005
【図４】
2005033486.tif 000006
【図５】
2005033486.tif 000007
【図６】
2005033486.tif 000008
【図７】
2005033486.tif 000009
【図８】
2005033486.tif 000010
【図９】
2005033486.tif 000011
【図１０】
2005033486.tif 000012
【図１１】
2005033486.tif 000013